(57)【特許請求の範囲】
【請求項１】
複数のフォントを記憶することが可能な第１の記憶手段と、
文字データを記憶することが可能な第２の記憶手段と、
前記第２の記憶手段に記憶された文字データに係る文字を、ネーム印の外形に相似したプレビュー輪郭線内に表示する文字表示手段と、
フォント指定時には、前記第１の記憶手段に記憶された前記複数のフォントから任意のものを択一的に指定することができるように、前記第１の記憶手段に記憶された前記複数のフォントの名称を一覧表示することが可能であるとともに、フォント指定時以外には、指定されたフォントの名称だけを表示するリストを含む第１のフォント指定手段と、
前記第１の記憶手段に記憶された前記複数のフォントから選ばれた１または複数の特定フォントから任意のものを択一的に指定することができるように、特定フォントの名称が付されたフォント指定ボタンを表示する第２のフォント指定手段とを備えており、
前記リストに一覧表示された前記複数のフォントの名称から一のフォントが指定されたとき及び前記フォント指定ボタンで一のフォントが指定されたときのいずれにおいても、前記第１のフォント指定手段は、前記複数のフォントのうち当該指定された一のフォントの名称だけを当該フォントで表示し、前記文字表示手段は、前記第２の記憶手段に記憶された文字データに係る文字を当該フォントで表示することを特徴とするネーム印用フォント指定装置。
【請求項２】
前記第１の記憶手段に記憶された前記複数のフォントの名称が前記リストにおいてそれぞれのフォントで表示されることを特徴とする請求項１に記載のネーム印用フォント指定装置。
【請求項３】
複数のフォントを記憶することが可能な第１の記憶手段、
文字データを記憶することが可能な第２の記憶手段、
前記第２の記憶手段に記憶された文字データに係る文字を、ネーム印の外形に相似したプレビュー輪郭線内に表示する文字表示手段、
フォント指定時には、前記第１の記憶手段に記憶された前記複数のフォントから任意のものを択一的に指定することができるように、前記第１の記憶手段に記憶された前記複数のフォントの名称を一覧表示することが可能であるとともに、フォント指定時以外には、指定されたフォントの名称だけを表示するリストを含む第１のフォント指定手段、及び、
前記第１の記憶手段に記憶された前記複数のフォントから選ばれた１または複数の特定フォントから任意のものを択一的に指定することができるように、特定フォントの名称が付されたフォント指定ボタンを表示する第２のフォント指定手段としてコンピュータを機能させるためのネーム印用フォント指定プログラムを記録したコンピュータ読み取り可能な記録媒体であって、
前記リストに一覧表示された前記複数のフォントの名称から一のフォントが指定されたとき及び前記フォント指定ボタンで一のフォントが指定されたときのいずれにおいても、前記第１のフォント指定手段は、前記複数のフォントのうち当該指定された一のフォントの名称だけを当該フォントで表示し、前記文字表示手段は、前記第２の記憶手段に記憶された文字データに係る文字を当該フォントで表示することを特徴とする記録媒体。
【発明の詳細な説明】
【０００１】
【発明の属する技術分野】
本発明は、ネーム印用フォント指定装置および記録媒体に関し、特に所定領域内に文字が配置されるネーム印などの印面データ作成に用いて好適なネーム印用フォント指定装置および記録媒体に関する。
【０００２】
【従来の技術】
特開平１１−７８１９１号公報には、多孔性樹脂からなるスタンプ用印材を製版することによって表面にインク滲み出し部とインク非滲み出し部とが形成されたスタンプを作成するためのスタンプ作成装置が開示されている。上記公報に記載されたスタンプ作成装置で製版されるスタンプ用印材は、カーボンブラック等の光エネルギー吸収物質を分散させたウレタンなどの軟質多孔性樹脂からなる下側層と、インクを貯留可能であるとともに下側層に均一に圧力が印加されるようにする硬質多孔性樹脂からなる上側層とからなる２層構造を有しており、所定のホルダに保持される。
【０００３】
この印材を製版するには、スタンプ作成装置内で透明な原稿フィルムにサーマルヘッドで文字、画像を印刷してポジ原稿を作成し、そして、このポジ原稿と印材の下側層とが対向した状態で印材が加圧されるようにホルダをスタンプ作成装置にセットする。
【０００４】
この状態でスタンプ作成装置内のキセノン管を発光させると、ポジ原稿を通して光が印材の下側層に照射される。これにより、原稿の透明部分に対応して光が照射された下側層の部分は、光エネルギー吸収物質の発熱作用によって溶融後固化するので、シールされてインクを透過しない状態となる。一方、原稿の印刷部分に対応して光が照射されない下側層の部分は、原稿の文字などに対応してシールされることなくそのままの状態で残存する。このようにして、所望パターンのシール部（インク非滲み出し部）と非シール部（インク滲み出し部）とが印材の下面に混在した印判が形成される。そして、スタンプ印刷時にホルダを印刷用紙に向けて押圧すると、印材上方から供給されたインクが非シール部だけから滲み出して印刷用紙に付着し、所望の文字などがスタンプ印刷される。
【０００５】
【発明が解決しようとする課題】
上述したスタンプ作成装置を用いてスタンプを製造しようとする場合、パーソナルコンピュータ（以下、「パソコン」と略す）などを用いて入力された文字や画像を印面内の所望の位置に配置してスタンプの印面データを予め作成しておく必要がある。その際、印面データに含まれる文字データのフォントをユーザが任意に指定できるようにすることが好ましい。そのためには、フォントの名称が一覧表示されたリスト（いわゆるリストボックス）から所望のフォントをマウスクリックなどで指定するのが一般的である。
【０００６】
しかしながら、パソコンに多数のフォントがインストールされている場合には、リスト内に一覧表示されたフォントから所望のものを見つけ出すのが困難となり、フォントの指定に比較的長時間を要するという問題がある。特に、ネーム印などのスタンプでは、それぞれの用途に適したフォントが指定されることが多いにも拘わらず、すべてのフォントが同列に表示されたリストから１つのフォントを指定する必要があり、フォント指定作業が非効率的に行われているという問題がある。
【０００７】
そこで、本発明の主たる目的は、文字データのフォントを迅速に指定することが可能なネーム印用フォント指定装置および記憶媒体を提供することである。
【０００８】
【課題を解決するための手段】
上記目的を達成するために、請求項１のネーム印用フォント指定装置は、複数のフォントを記憶することが可能な第１の記憶手段と、文字データを記憶することが可能な第２の記憶手段と、前記第２の記憶手段に記憶された文字データに係る文字を、ネーム印の外形に相似したプレビュー輪郭線内に表示する文字表示手段と、フォント指定時には、前記第１の記憶手段に記憶された前記複数のフォントから任意のものを択一的に指定することができるように、前記第１の記憶手段に記憶された前記複数のフォントの名称を一覧表示することが可能であるとともに、フォント指定時以外には、指定されたフォントの名称だけを表示するリストを含む第１のフォント指定手段と、前記第１の記憶手段に記憶された前記複数のフォントから選ばれた１または複数の特定フォントから任意のものを択一的に指定することができるように、特定フォントの名称が付されたフォント指定ボタンを表示する第２のフォント指定手段とを備えている。そして、前記リストに一覧表示された前記複数のフォントの名称から一のフォントが指定されたとき及び前記フォント指定ボタンで一のフォントが指定されたときに、前記第１のフォント指定手段は、前記複数のフォントのうち当該指定された一のフォントの名称だけを当該フォントで表示し、前記文字表示手段は、前記第２の記憶手段に記憶された文字データに係る文字を当該フォントで表示する。
【０００９】
また、請求項３は、複数のフォントを記憶することが可能な第１の記憶手段、文字データを記憶することが可能な第２の記憶手段、前記第２の記憶手段に記憶された文字データに係る文字を、ネーム印の外形に相似したプレビュー輪郭線内に表示する文字表示手段、フォント指定時には、前記第１の記憶手段に記憶された前記複数のフォントから任意のものを択一的に指定することができるように、前記第１の記憶手段に記憶された前記複数のフォントの名称を一覧表示することが可能であるとともに、フォント指定時以外には、指定されたフォントの名称だけを表示するリストを含む第１のフォント指定手段、及び、前記第１の記憶手段に記憶された前記複数のフォントから選ばれた１または複数の特定フォントから任意のものを択一的に指定することができるように、特定フォントの名称が付されたフォント指定ボタンを表示する第２のフォント指定手段としてコンピュータを機能させるためのネーム印用フォント指定プログラムを記録したコンピュータ読み取り可能な記録媒体であって、前記リストに一覧表示された前記複数のフォントの名称から一のフォントが指定されたとき及び前記フォント指定ボタンで一のフォントが指定されたときに、前記第１のフォント指定手段は、前記複数のフォントのうち当該指定された一のフォントの名称だけを当該フォントで表示し、前記文字表示手段は、前記第２の記憶手段に記憶された文字データに係る文字を当該フォントで表示することを特徴とする記録媒体である。
【００１０】
請求項１、３によると、文字データが表示されるフォントを、いわゆるリストボックスなどである第１のフォント指定手段を用いてだけではなく、第２のフォント指定手段のフォント指定ボタンで指定することが可能である。そのため、使用頻度の高いフォントをフォント指定ボタンにして表示しておくことで、フォントの指定を高い作業効率で行うことが可能となる。また、フォント指定ボタンで指定することができない特定フォント以外のフォントは、第１のフォント指定手段を介して指定することが可能である。
また、リストを用いて又はフォント指定ボタンで指定されたフォントの名称が当該フォントで第１のフォント指定手段に表示されるので、どのフォントを指定したかの確認が容易である。
【００１１】
請求項２のネーム印用フォント指定装置は、前記第１の記憶手段に記憶された前記複数のフォントの名称が前記リストにおいてそれぞれのフォントで表示されることを特徴とするものである。
【００１２】
【００１３】
【発明の実施の形態】
以下、本発明の好適な実施の形態について、図面を参照しつつ説明する。本実施の形態は、円形領域内の１または複数の区域にそれぞれ文字が配置されたネーム印の作成に関するものである。
【００１４】
図１は、本実施の形態に係るネーム印用フォント指定装置であるパソコンと、これに接続されたスタンプ作成装置の概略的なブロック図である。また、図２は、図１に示されたスタンプ作成装置の全体斜視図、図３はその全体断面図である。
【００１５】
まず、図２および図３を参照してスタンプ作成装置の構造について説明する。スタンプ作成装置１は、装置本体１２に対して着脱可能であって透明の原稿フィルム８を複数枚収納可能なフィルムマガジン２と、フィルムマガジン２の近傍の装置本体１２に設けられた印版識別（ＩＤ）ラベル用のカットシートＣＳの供給口３と、サーマルヘッド５を備えた印刷部４と、印刷された原稿フィルム８に基づいてアタッチメント３７に装着されたスタンプ本体７の下面に配された印材（図示せず）に印面を形成するためのスタンプ部６と、印面形成時にスタンプ本体７を収納するスタンプ収納部７０と、スタンプ部６の近傍の装置本体１２に設けられたカットシートＣＳおよび原稿フィルム８の排出口１０８とを有している。
【００１６】
本実施の形態において、スタンプ本体７は円柱形状をしており、その下面には作成されるネーム印の印面形状と対応した円形の印材が配されている。アタッチメント３７は、スタンプ部６内の空間に比して小さいスタンプ本体７をスタンプ部６に位置ずれなく安定して、しかも位置の微調整可能に載置するために使用されるものである。
【００１７】
印刷部４の上面に設けられたヘッドホルダユニット１０２は、その下側にサーマルヘッド５を有しているとともに、軸１１０を中心として上方に回動可能であり、これにより、装置内部のメンテナンスができるようになっている。また、フィルムマガジン２の最も上にある原稿フィルム８先端部は繰り出しローラ２３に押圧接触し、この状態で繰り出しローラ２３を駆動回転することで原稿フィルム８を印刷部４に向けて良好に搬送することができる。また、カットシートＣＳは、供給口３の直後に設けられた一対の送り出しローラ１９、２０と、送り出しローラ１９、２０の直後に設けられてサーマルヘッド５方向に湾曲したシートガイド２１と、ガイドレール１５とによって、サーマルヘッド５による印刷が可能な位置へと搬送される。
【００１８】
印刷部４には、ワックス系インクが塗付された熱転写リボン９の元巻ロール１３ａおよび巻取ロール１３ｂが設けられている。ヘッドホルダユニット１０２の下側に配設されたサーマルヘッド５の下方には、プラテン１４が設けられている。また、元巻ロール１３ａの下方には、原稿フィルム８やカットシートＣＳをサーマルヘッド５とプラテン１４との間に案内するガイドレール１５と、搬送途中での原稿フィルム８やカットシートＣＳの浮き上がりを防止する押えガイド１６とが配設されている。また、サーマルヘッド５の下流側には移送ガイド１７と、一対の供給ローラ１８が設けられている。
【００１９】
スタンプ部６下方には、リフレクタボックス３４で包囲されたキセノン管１１を具備した発光ユニット（ＨＵ）１０が着脱自在に設けられている。スタンプ本体７が載置されるステージ３３を有する発光ユニット１０はスライドレバー１０１を上方に摺動させることによってスタンプ作成装置１から取り外しが可能である。また、スタンプ部６には、スタンプ本体７を出し入れする際に開閉される上蓋３６と上前蓋１０６とが設けられている。
【００２０】
このスタンプ作成装置１は、図示しないケーブルなどによって、図１に示すパソコン１５０と接続されることによって、パソコン１５０からの制御にしたがって、原稿フィルム８に対するポジ原稿の印刷、カットシートＣＳへのＩＤラベルの印刷、ポジ原稿が印刷された原稿フィルム８に基づくスタンプの製版といった各種動作を実行するように構成されている。
【００２１】
つまり、フィルムマガジン２から印刷部４に搬送された原稿フィルム８に対して、サーマルヘッド５が所定の文字などからなるポジ画像を印刷し、その印刷された原稿フィルム８がスタンプ部６に送られる。そして、発光ユニット１０によってスタンプ本体７の下面に配された印材に原稿フィルム８を介して光が照射されることによって、印材が製版されスタンプ作成装置１による一連のスタンプ作成動作が完了する。
【００２２】
また、カットシートＣＳ印刷の場合には、供給口３からカットシートＣＳが供給され、原稿フィルム８ではなくカットシートＣＳに文字、図形などのポジ画像がサーマルヘッド５で印刷され、排出口１０８から排出される。印刷されたカットシートＣＳは、ＩＤラベルとしてスタンプ本体７に貼着されてよい。
【００２３】
ここで、スタンプ本体７の下面に配された印材の構造について説明する。ここで用いられる印材は、例えば本出願人による特開平１１−７８１９１号公報に開示されているような、カーボンブラックなどの光エネルギー吸収性物質を分散させた軟質多孔性樹脂（例えば、ウレタン系樹脂）からなる下側層と、インクを貯溜するとともに下側層に均一に圧力が印加されるようにする硬質多孔性樹脂（例えば、ポリビニルホルマール）からなる上側層とを具備した２層構造を有するものである。
【００２４】
この印材を圧縮した状態でポジ画像が印刷された透明な原稿フィルム（ポジ原稿）を介して選択的に光を照射すると、原稿の透明部分に対応して光が照射された下側層の部分は、光エネルギー吸収物質の発熱作用によって溶融後固化されるので、シールされてインクを透過しない状態となる。一方、原稿の印刷部分に対応した下側層の部分は、光が照射されないだけでなく原稿の印刷部分からの伝導熱で溶融固化されることもなく、原稿の文字等に対応してシールされないでそのまま残存することとなる。これにより、所望パターンのシール部（非印刷部）と非シール部（印刷部）とが印材の下面に混在した印判が形成される。
【００２５】
次に、本実施の形態に係るネーム印用フォント指定装置であるパソコンおよびこれに接続されたスタンプ作成装置の制御系について、図１を参照して説明する。パソコン１５０は、ＣＰＵ（文字表示手段、第１および第２のフォント指定手段）１５２と、ＲＡＭ（第２の記憶手段）１５４と、ハードディスク（第１の記憶手段）１５６と、入出力インターフェイス１６２とを有しており、これらはバス１６４によって相互に接続されている。また、入出力インターフェイス１６２には、モニタ（文字表示手段）１５８および入力装置１６０が接続されている。
【００２６】
モニタ１５８には、後述するように、スタンプ作成装置１で製版されるべき印面画像を含んだ印面データ作成画面が表示される。入力装置１６０は、キーボードや入力パッドなどの文字入力が可能な装置とマウスなどのポインティングデバイスとを含むものであるが、これに加えてスキャナなどの画像取り込み装置をさらに含んでいてもよい。
【００２７】
ハードディスク１５６は、本実施の形態に係る記録媒体に記録された印面データ作成プログラム（エディタ）や、仮名・漢字変換などのための辞書データおよび多種類の文字フォントなどを磁気的に記憶している記憶媒体である。ＲＡＭ１５４は、ハードディスク１５６から読み出されたプログラムや入力装置１６０から与えられたデータなどを一時的に記憶する。ＲＡＭ１５４には、入力バッファ１７１、文字配置範囲記憶エリア１７２、文字配置データ記憶エリア１７３、区域選択状態記憶エリア１７４、フォント指定状態記憶エリア１７５、表示画像バッファ１７７が設けられている。
【００２８】
入力バッファ１７１には、キーボードから入力された文字データが記憶される。文字データは、選択された印面形式のテンプレート（縦書き１行、横書き１行、縦書き２行などの印面内に文字列が配置されるパターンであって予め決められたもの）に設けられた各区域ごとに設けられた入力バッファ１７１内の記憶領域に記憶される。各記憶領域は、１または複数の文字データからなる文字データ列を複数記憶することが可能である。なお、以下の説明では、文字データ列のことを単に文字データということがある。
【００２９】
本実施の形態では、このように、入力バッファ１７１に設けられた複数の記憶領域のそれぞれに各区域に対応した文字データを入力する。一方、入力バッファ１７１に記憶領域を１つだけ設け、各区域に対応した文字データをその１つの記憶領域内に例えばスラッシュやコロンなどの記号で区分けして記憶させることも可能である。しかし、本実施の形態のように複数の記憶領域を設けることにより、文字データの大きさが変わっても各文字データ先頭のアドレスを一定不変にすることができるので、文字データの管理が容易になり迅速な処理が可能となるという利点がある。
【００３０】
文字配置範囲記憶エリア１７２には、内部に文字データが配置される１または複数の文字配置範囲に関するデータが、選択されたテンプレートに設けられた各区域ごとに、配置される文字数と対応させて記憶される。文字配置データ記憶エリア１７３には、入力バッファに記憶された各文字データが文字配置範囲内のどこに配置されるかについてのデータが記憶される。区域選択状態記憶エリア１７４には、選択されたテンプレートについて現在どの区域が選択されているかを示すデータが記憶される。フォント指定状態記憶エリア１７５には、後述するフォントリストボックス２２５および２つのフォント指定ボタン２２６、２２７（ともに図６参照）によって現在指定されているフォントの名称についてのデータが区域ごとに記憶される。表示画像バッファ１７７には、モニタ１５８に表示される画像に関するデータが記憶される。
【００３１】
ＣＰＵ１５２は、ハードディスク１５６に記憶されたプログラムにしたがって動作することによって、文字配置演算部１６７、フォント変更制御部１６８および区域変更制御部１６９として機能することが可能である。ＣＰＵ１５２は、以下に詳述するように、ハードディスク１５６に記憶されたプログラムに基づいて、文字データの入力および操作対象となる区域の変更を制御し、入力装置１６０から入力された文字データの配置演算およびフォント変更を行い、その結果をＲＡＭ１５４および／またはハードディスク１５６に記憶させ、さらに文字を所望のフォントでモニタ１５８に表示させる。そして、ＣＰＵ１５２は、原稿フィルム８或いはカットシートＣＳへの画像印刷が行われる際に、作成された印面データをスタンプ作成装置１に送る。
【００３２】
本実施の形態に係る制御プログラムが記録された記録媒体は、ハードディスク１５６のほか例えばフロッピーディスクやＣＤ−ＲＯＭであってもよく、図１には示されていないものの、パソコン１５０にはフロッピーディスクドライブおよび／またはＣＤ−ＲＯＭドライブが装備されている。
【００３３】
また、スタンプ作成装置１には、ＣＰＵ１８０と、ＲＯＭ１８２と、ＲＡＭ１８４と、入出力インタフェース１８８とが備えられており、これらはバス１９０によって相互に接続されている。また、入出力インターフェイス１８８には、ケーブルなどを介してパソコン１５０の入出力インターフェイス１６２が接続されている。これによって、スタンプ作成装置１は、パソコン１５０から印面データを取り込むことが可能である。さらに、入出力インターフェイス１８８には、ヘッド駆動回路１９２およびモータ駆動回路１９４がそれぞれ接続されている。ヘッド駆動回路１９２にはサーマルヘッド５が接続されており、モータ駆動回路１９４にはスタンプ作成装置１の各所に配置されてサーマルヘッド５や各種ローラなどを駆動するモータ類１７８がそれぞれ接続されている。
【００３４】
ＲＯＭ１８２には、スタンプ作成装置１の全体の作動を制御する制御プログラムが記憶されている。ＲＡＭ１８４には、パソコン１５０から与えられた印面データを記憶する印面データバッファ１９７が設けられている。
【００３５】
ＣＰＵ１８０は、ＲＯＭ１８２に記憶された制御プログラムおよびＲＡＭ１８４の印面データバッファ１９７に記憶されたスタンプ画像データに基づいて、ヘッド駆動回路１９２およびモータ駆動回路１９４を制御する。これにより、原稿フィルム８或いはカットシートＣＳにはサーマルヘッド５で所望の印面画像が印刷され、原稿フィルム８はその後印材の製版に供される。
【００３６】
次に、本実施の形態に係るネーム印用フォント指定装置であるパソコン１５０によって実行される印面データ作成作業について、図４以下をさらに参照して説明する。図４は、本実施の形態における印面データの作成作業過程を示すフローチャートである。図５〜図１４は、本実施の形態における印面データの作成作業過程でパソコン１５０のモニタ１５８への表示画面を示す図である。図１５〜図１８は、本実施の形態において印面形式が縦書き１行である場合のパソコン１５０のモニタ１５８に表示されたプレビュー領域を示す図である。図１９は、印面形式が縦書き１行である場合の文字配置範囲を文字数ごとに示す図である。図２０は、選択された１つの区域への文字の配置手順を示すフローチャートである。図２１は、区域選択ボタンの生成時の手順を示すフローチャートである。図２２〜図２４は、フォント指定ボタンの生成およびフォント指定に関する手順を示すフローチャートである。図２５は、区域選択ボタンの形状の別の例を示す図である。
【００３７】
本実施の形態のネーム印用フォント指定装置であるパソコン１５０により印面データを作成するには、まず、パソコン１５０にインストールされた印面データ作成プログラム（エディタ）を起動させる。すると、図５に示すような形式選択画面２０１がモニタ１５８に表示されるので、基本印ボタン２０２、オフィス印ボタン２０３、オリジナル印ボタン２０４のいずれかをマウスでクリックして、作成するネーム印の種類を選択する（ステップＳ１）。なお、形式選択画面２０１や後述する文字入力画面２０８および作成画面２３４には、作成手順インジケータ２０９が表示されており、印面データを作成する過程全体において現在どのような作業を行っているかが一目で分かるようになっている。
【００３８】
ネーム印の種類を選択すると、クリックされたボタンが押下状態になるとともに、選択された種類に属する印面形式のテンプレートが一覧表示されるので、その中から所望のテンプレートをマウスでクリックして選択する（ステップＳ２）。このとき、選択されたテンプレートは、他のテンプレートとは異なる色で表示される。図５において、各テンプレート内の点線で囲まれた矩形領域は、円形をしたネーム印作成領域内に設けられた各区域のおおよその位置および大きさを代表して象徴的に示すものである。後述するように、この点線で囲まれた矩形領域は、各区域ごとに記憶された文字配置範囲を表すデータのうちでデフォルト範囲として定義されたものにしたがって描画されたものである。選択されたテンプレートで間違いがないことを確認したら、「次へ」ボタン２０５をクリックする（ステップＳ３）。
【００３９】
例えば、テンプレートとしてオフィス印に属する図５の「１：苗字（縦）」が選択されたとすると、図６に示すような文字入力画面２０８がモニタ１５８に表示される。また、テンプレートとして図３の「３：苗字＋名前（縦）」が選択されたとすると、図７に示すような文字入力画面２０８がモニタ１５８に表示される。図６および図７に示された文字入力画面２０８内には、作成手順インジケータ２０９と、文字入力領域２１０、プレビュー領域２１１、区域選択領域２１２、フォント指定領域２１３、テンプレートタイプ表示領域２１４が設けられている。
【００４０】
文字入力領域２１０内には、入力エディットボックス２１６、人名辞書起動ボタン２１７、特殊漢字選択ボタン２１８が表示されている。入力エディットボックス２１６は、後述する区域選択ボタン２２４などで選択された区域に入力された文字だけを表示する。プレビュー領域２１１には、作成されるネーム印の外形に相似したプレビュー輪郭線２２０と、プレビュー輪郭線２２０内に設けられた各区域のおおよその位置および大きさを代表して象徴的に示す点線で描かれた矩形の枠２２１とが表示されている。枠２２１は、各区域ごとに記憶された文字配置範囲を表すデータのうちでデフォルト範囲（図１９に示す文字配置範囲２４３）として定義されたものにしたがって描画されたものであり、或る特定の文字数（ここでは２文字）の文字が配置される範囲を示すものでもある。後述するように、プレビュー領域２１１には、入力バッファ１７１のすべての記憶領域に入力された文字が、フォント指定状態記憶エリア１７５に記憶された各区域について指定されたフォントで一括して表示される。
【００４１】
区域選択領域２１２には、プレビュー輪郭線２２０および枠２２１と相似関係にある区域選択輪郭線２２３および区域選択ボタン２２４とが表示されている。区域選択ボタン２２４の中央には、対応する区域に定義された番号「１」或いは「２」がそれぞれ表示されている。また、区域選択ボタン２２４は選択されたテンプレートに設けられた区域と同数だけ設けられて、そのうちいずれかを択一的に選択可能となっている。従って、図７のように区域選択ボタン２２４が２つある場合には、マウスでクリックすることによりいずれか一方だけを押下された選択状態とすることができる。これにより、現在どの区域が選択されているかを一目で判断することが可能となっている。現在どの区域が選択されているかについてのデータは、ＲＡＭ１５４の区域選択状態記憶エリア１７４に記憶される。
【００４２】
フォント指定領域２１３には、入力された文字データのフォントを、パソコン１５０にインストールされた使用可能なすべてのフォントから択一的に指定するためのドロップダウン式のフォントリストボックス（第１のフォント指定手段）２２５と、入力された文字データのフォントを半古印体に指定するための半古印体指定ボタン２２６と、入力された文字データのフォントを正楷書体に指定するための正楷書体指定ボタン２２７とが表示されている。フォントリストボックス２２５内に一覧表示されるフォントの名称はそれぞれのフォントで表示されている。フォントリストボックス２２５、半古印体指定ボタン２２６および正楷書体指定ボタン２２７によって指定されたフォントの種類についてのデータは、フォント指定状態記憶エリア１７５に記憶される。また、テンプレートタイプ表示領域２１４には、ステップＳ２で選択されて、現在文字データの入力対象となっているテンプレートの名称およびそれが属する種類（基本印、オフィス印、オリジナル印のいずれか）が表示されている。
【００４３】
図６に示した例では区域或いは枠２２１が１つしかないので選択の余地はないが、図７のように枠２２１を２つ以上もつテンプレートを選択した場合には、どの区域或いは枠２２１に文字を入力するかを決める必要がある。デフォルトでは番号「１」の枠２２１が選択された状態となっているので、この枠２２１への文字入力を行うかどうかを判断する（ステップＳ４）。もし、番号「１」の枠２２１に文字を入力するのであれば（Ｓ４：ＹＥＳ）ステップＳ６に進み、他の枠２２１に文字を入力するのであれば（Ｓ４：ＮＯ）ステップＳ５に進んで枠２２１を変更した後、ステップＳ６に進む。
【００４４】
文字を入力する枠２２１の変更は、区域選択領域２１２に表示された区域選択ボタン２２４のうち所望のものをマウスでクリックすることによって簡易に行うことができる。また、枠２２１の変更は、キーボードを使って行うことも可能であるし、プレビュー領域２１１の所望の枠２２１内をマウスでクリックすることによっても可能である。このような操作を行うと、ＣＰＵ１５２の区域変更制御部１６９からの命令によって、ＲＡＭ１５４の区域選択状態記憶エリア１７４のデータが変更され、これに伴って選択された区域選択ボタン２２４が押下状態となり、当該区域への文字データ入力が可能となる。
【００４５】
ステップＳ６では、入力される文字のフォントがデフォルトである正楷書体でいいかどうかを判断する。もし、選択された枠２２１に入力される文字のフォントとして正楷書体を用いるのであれば（Ｓ６：ＹＥＳ）ステップＳ８に進み、他のフォントに変更するのであれば（Ｓ６：ＮＯ）ステップＳ７に進んでフォントを変更した後、ステップＳ８に進む。フォントの変更は、フォント指定領域２１３内のフォントリストボックス２２５から所望のフォントをマウスで指定することによって行うか、２つのフォント指定ボタン２２６、２２７のいずれかをマウスでクリックすることによって行うことができる。フォント変更については、後で詳述する。
【００４６】
そして、ステップＳ８では、選択された枠２２１或いは区域にキーボードを用いて文字を入力する。代替的には、人名辞書起動ボタン２１７をクリックして人名の一覧を表示させ、その中から所望の人名をマウスでクリックして選択してもよい。また、所定のコードを有しない特殊漢字については、特殊漢字選択ボタン２１８をクリックして一覧表示させ、その中からマウスで選択することができるようになっている。入力された文字データは、ＲＡＭ１５４の入力バッファ１７１の選択された区域に対応した記憶領域に記憶される。
【００４７】
そして、入力された文字データおよびフォントデータに基づいて表示画像バッファ１７７の内容が更新される。これにより、入力された文字は、入力エディットボックス２１６内に表示されるとともに、仮名漢字変換後に確定されたものはプレビュー領域２１１内の選択された枠２２１で囲まれていた範囲内に表示される（特定の区域に文字が表示されると、そこにあった外枠線２２１は自動的に見えなくなる）。入力エディットボックス２１６に表示される文字のフォントは例えば明朝体に固定されておりどのようなフォントが指定されても変わらないが、プレビュー領域２１１内に表示される文字のフォントは、フォント指定領域２１３で指定されたフォントに応じて随時変更される。図８に、テンプレートとして「３：苗字＋名前（縦）」が選択されて、区域１に「鈴木」という苗字が正楷書体を指定して入力された場合の表示画面を示す。
【００４８】
ここで、図６のような縦１行に文字が配置されるようなテンプレートが選択された場合を例にとって、枠２２１或いは区域に文字が配置される手順を説明する。
【００４９】
本実施の形態にかかるパソコン１５０は、図６のような枠２２１を有するテンプレートに対して、図１９に示すような４つの文字配置範囲２４２〜２４５に関する情報をハードディスク１５６から読み出してＲＡＭ１５４の文字配置範囲記憶エリア１７２に記憶している。これら４つの文字配置範囲２４２〜２４５は、枠２２１に入力された文字数が全角でそれぞれ１、２、３、４文字である場合と対応している。つまり、枠２２１に入力された文字数が１である場合には、文字配置範囲２４２内に当該１つの文字が配置され、文字数が２である場合には文字配置範囲２４３内に当該２つの文字が配置されるというように文字数に応じた文字配置範囲が用意されている。また、奇数個の半角文字が存在する場合には、０．５文字分の文字数を切り上げて文字配置範囲との対応が決定される。
【００５０】
また、２文字に対応する文字配置範囲２４３は、デフォルトの文字配置範囲として、枠２２１や区域選択領域２１２内の区域選択ボタン２２４を描画する際にもそのデータが用いられる。さらに、文字配置範囲２４３は、枠２２１内に５文字以上の文字が入力された場合に対応している。つまり、枠２２１内に５文字以上の文字が入力された場合は、文字数に拘わらず文字配置範囲２４３内に入力されたすべての文字が配置される。
【００５１】
文字配置範囲２４２〜２４５に関しては、文字数１に対応する文字配置範囲２４２が最も短く且つ幅が広く、以後多くの文字数に対応するものほど長く且つ幅が狭くなっている。これら文字配置範囲２４２〜２４５は、矩形であるために左上点および右下点の平面座標によってその位置が定められる。なお、文字配置範囲２４２〜２４５には、その角部がプレビュー輪郭線２２０からはみ出しているものもあるが、文字のパターン部分は文字配置範囲の角部近傍には存在しないため、多少のはみ出しは問題がない。なお、２以上の区域をもつテンプレートが選択された場合には、各区域ごとに、文字数と対応した文字配置範囲が記憶される。
【００５２】
図２０を参照して、枠２２１内に文字を配置する手順について、より詳細に説明する。以下の処理は、ＣＰＵ１５２の文字配置演算部１６７によって行われる。まず、上述したステップＳ１〜Ｓ５で説明した手順によってテンプレートおよび文字入力が行われる枠２２１が選択されると（ステップＴ１）、ステップＴ２において、そのテンプレートおよび枠２２１に応じた文字配置範囲に関する位置データがロードされてＲＡＭ１５４の文字配置範囲記憶エリア１７２に記憶される。
【００５３】
そして、上述したステップＳ８で説明したように選択された枠２２１に文字が入力されると（ステップＴ３）、ステップＴ４において、入力された文字数の全角に換算した文字数Ｎが以下の式（１）に基づいて計算される。
Ｎ＝（入力文字のバイト数＋１）／２  （１）
例えば、入力されたのが全角２文字（４バイト）であればＮ＝２．５となるが、これは切り下げて２として扱われる。また、入力されたのが全角２文字（４バイト）と半角１文字（１バイト）であればＮ＝３となる。
【００５４】
次に、ステップＴ５において、ステップＴ４で計算した文字数に対応した文字配置範囲に関する位置データがあるかどうかが判断される。もしあれば（Ｔ５：ＹＥＳ）、ステップＴ６において、選択された枠２２１に入力された文字数に対応した文字配置範囲に関する位置データが文字配置範囲記憶エリア１７２から取得される。もしなければ（Ｔ５：ＮＯ）、ステップＴ７において、デフォルトの文字配置範囲に関する位置データが文字配置範囲記憶エリア１７２から取得される。
【００５５】
次に、ステップＴ８において、ステップＴ６またはＴ７で取得した文字配置範囲内における各文字の占有範囲が、指定されたフォントが固定ピッチフォントおよびプロポーショナルフォントのいずれであるかに応じて、文字配置演算部１６７での演算により決定される。例えば、固定ピッチフォントを指定して２文字が入力された場合には、１文字目が文字配置範囲のちょうど上半分（または左半分）の矩形範囲を占め、２文字目が文字配置範囲のちょうど下半分（または右半分）の矩形範囲を占めることになる。しかし、プロポーショナルフォントを指定して２文字が入力された場合には、各フォントの高さ或いは幅の比率によって２つの文字の境界位置が比例配分で定められることになる。演算の結果は、各文字データの配置範囲を示すデータ（範囲の左上点および右下点の座標データ）として、ＲＡＭ１５４の文字配置データ記憶エリア１７３に格納される。
【００５６】
次に、ステップＴ９において、各文字を確定する矩形範囲がステップＴ８で定められた各文字の占有範囲と一致するように文字の矩形範囲を縦横それぞれ異なる比率で拡大或いは縮小し、選択された区域いっぱいに文字を描画するための演算が行われ、その結果が表示画像バッファ１７７に書き込まれる。そして、表示画像バッファ１７７の記憶内容にしたがってモニタ１５８に印面のプレビュー画像が表示される。
【００５７】
次に、ステップＴ１０において、選択された１つの枠２２１或いは区域への文字入力が終了したかどうかを判断し、終了したのであれば（Ｔ１０：ＹＥＳ）本処理を終了し、選択された枠２２１にさらに文字を入力するのであれば（Ｔ１０：ＮＯ）、ステップＴ３に戻って同様の処理を繰り返す。
【００５８】
図１５〜図１８は、上述した手順にしたがって図６の枠２２１で表された区域にフォントとして正楷書体が指定された１〜４文字がそれぞれ入力された様子を示している。図１５に示された「北」が描画された範囲は、文字配置範囲２４２と一致しており、図１６に示された「鈴木」が描画された範囲は、文字配置範囲２４３と一致しており、図１７に示された「上久保」が描画された範囲は、文字配置範囲２４４と一致しており、図１８に示された「勅使河原」が描画された範囲は、文字配置範囲２４５と一致している。
【００５９】
このように、本実施の形態によると、区域および文字数に応じた文字配置範囲を１つ記憶しておくだけでよく、従来のように、区域および文字数に応じて各文字ごとの位置情報を記憶しておく必要がなくなる。そのため、文字を配置する際に必要なデータ記憶量を大幅に削減することができる。また、従来のように各文字の占有範囲が予め決められていないために、プロポーショナルフォントが指定された場合にも、各文字を文字配置範囲内にフォントの高さまたは幅に応じて比例配分することで、文字のバランスがとれた見栄えのよいネーム印を自動的に得ることができ、ユーザが微調整を行わなくともよくなる。さらに、テンプレートの数が従来装置よりも少なくなり、ユーザにとって所望のテンプレートを容易に選択することができるようになる。
【００６０】
次に、ステップＳ９において、まだ文字が入力されていない枠２２１があるかどうかが判断される。もしあれば（Ｓ９：ＹＥＳ）、ステップＳ１０においてステップＳ５と同様にして枠２２１を変更した後ステップＳ６に戻り、必要とするすべての区域に文字が入力されるまで同様の手順を繰り返して行う。このようにして、入力が必要なすべての区域に文字入力が順次行われる。図９に、テンプレートとして「３：苗字＋名前（縦）」が選択されて、区域１に「鈴木」という苗字が、区域２に「一郎」という名前がともに正楷書体を指定して入力された場合の表示画面を示す。
【００６１】
もし文字が入力されていない枠２２１がなければ（Ｓ９：ＮＯ）、ステップＳ１１において入力した文字、文字が入力された区域、および各区域に指定されたフォントを変更する必要があるかどうかを判断し、もし変更の必要があれば（Ｓ１１：ＹＥＳ）ステップＳ１２に進み、変更の必要がなければ（Ｓ１１：ＮＯ）ステップＳ１３に進む。
【００６２】
ステップＳ１２では、各区域に入力された文字などに間違いがある場合に、その修正が行われる。そのためには、修正したい文字がある区域と対応する区域選択ボタン２２４またはその区域を直接マウスでクリックし、当該区域を選択状態にする。そして、入力する文字を変更する場合には既に入力されている文字を一部或いは全部削除してから新たに文字を入力する。また、フォントを訂正する場合には、その文字に対応した区域を選択してから、フォントリストボックス２２５、半古印体指定ボタン２２６または正楷書体指定ボタン２２７を操作して所望のフォントを指定する。
【００６３】
例えば、テンプレートとして「３：苗字＋名前（縦）」が選択されており、正楷書体が指定された区域１の「鈴木」を半古印体に変更したいという場合には、図１０に示すように、区域１に該当する区域選択ボタン２２４をクリックしてから、半古印体指定ボタン２２６をマウスでクリックする。半古印体指定ボタン２２６がクリックされたことを受けて、ＣＰＵ１５２のフォント変更制御部１６８は、ＲＡＭ１５４のフォント指定状態記憶エリア１７５の内容を区域１が半古印体に指定された旨に書き換える。そして、これに応じて、表示画像バッファの内容も変更される。これにより、プレビュー領域２１１内の区域１に正楷書体で表示されていた「鈴木」が半古印体で表示されるようになり、半古印体指定ボタン２２６が押下状態となり、フォントリストボックス２２５にも指定されたフォントとして半古印体が表示される。
【００６４】
続けて、区域２の「一郎」を半古印体に変更したいという場合には、図１１に示すように、区域２に該当する区域選択ボタン２２４をクリックしてから、半古印体指定ボタン２２６をマウスでクリックする。すると、同様にして、「一郎」が半古印体で表示されるようになり、正楷書体が表示されていたフォントリストボックス２２５にも指定されたフォントとして半古印体が表示される。半古印体で表示されていた文字を正楷書体に変更する場合も同様の手順を行えばよい。このように、本実施の形態では、ネーム印の書体として使用頻度の高い半古印体および正楷書体をマウスクリックの一動作により高い作業効率で指定できるように、半古印体指定ボタン２２６および正楷書体指定ボタン２２７が設けられているので、ネーム印の印面データを迅速に作成することができる。また、半古印体指定ボタン２２６または正楷書体指定ボタン２２７をクリックしてフォントを指定した場合に、そのフォントの名称がフォントリストボックス２２５に当該フォントで表示されるので、どのフォントを指定したかの確認が容易に行えるという利点がある。
【００６５】
また、入力された文字を半古印体および正楷書体以外のフォントに変更したい場合には、図１２に示すように、フォントリストボックス２２５をクリックし、使用可能なフォントをフォント指定プルダウンメニュー２５１内に一覧表示させる。この際、多数のフォントがインストールされていてプルダウンメニュー２５１の表示範囲内にすべてのフォントが同時に表示されない場合には垂直スクロールバーが現れるので、そのスライダー２５２をマウスで移動させることによって使用可能なすべてのフォントを表示させることが可能である。そして、表示されたフォントのうち所望のものをマウスでクリックすれば、フォント指定プルダウンメニュー２５１が閉じられてフォントリストボックス２２５には、指定されたフォントの名称だけが当該フォントで表示されるようになる。
【００６６】
この際、入力された文字がコード指定されていない特殊漢字である場合などで、当該文字データが指定されたフォントに存在しない場合には、その旨の警告をモニタ１５８に表示することが好ましい。
【００６７】
このようにして、フォントリストボックス２２５から適当なフォントを指定することによっても選択された区域のフォントを変更することが可能である。例えば、図１３に示すように、「鈴木」および「一郎」の両方をゴシック体に変更することも可能である。
【００６８】
そして、ステップＳ１３において、文字やフォントに間違いがないかどうかをプレビュー領域２１１を観察することにより確認し、間違いがなければ「次へ」ボタン２３０をクリックする。もし、選択したテンプレート自体が間違っていた場合には、「戻る」ボタン２３１をクリックして図５に示した形式選択画面２０１に戻ることも可能である。
【００６９】
「次へ」ボタン２３０をクリックすると、図１４に示すような作成画面２３４がモニタ１５８に表示される。図１４に示された作成画面２３４内には、図６と同様のプレビュー領域２１１、小サイズプレビュー領域２３６、微調整モードを選択するための微調整ボタン２３７、印面データの作成を終了してスタンプ作成装置１による印材の製版を開始するための「作成」ボタン２３８、図６の文字入力画面２０８に戻るための「戻る」ボタン２３９が表示されている。
【００７０】
もし文字の大きさや位置などの微調整を行う必要があれば、ステップＳ１２で微調整ボタンをクリックして微調整を行った後、ステップＳ１３で「作成」ボタン２３８をクリックする。これにより、スタンプ作成装置１でネーム印の製版が行われる。
【００７１】
以上説明したように、本実施の形態によると、ネーム印の外形と同じく円形をした区域選択輪郭線２２３がモニタ１５８に表示されるとともに、テンプレートに設けられた各区域と対応する位置に区域と同数の区域選択ボタン２２４が区域選択輪郭線２２３と関連づけて表示されるので、ユーザは区域選択ボタン２２４によって入力やフォント変更などの処理を希望する区域を直感的に間違うことなく選択することができる。また、クリックされて選択された区域選択ボタン２２４は窪んでほかの区域選択ボタン２２４とは区別されて表示されるので、選択された区域に文字が入力されていない状態であっても、選択された区域が一目で分かる。そのため、間違った区域に文字が入力されるのを極力防止することができる。
【００７２】
また、区域選択領域２１２を設けてそこに区域選択輪郭線２２３および区域選択ボタン２２４を設けるようにしたので、プレビュー領域２１１内に各区域を識別する番号を表示する必要がなくなり、プレビュー輪郭線２２０内には入力された文字だけを表示することが可能となる。これにより、プレビュー領域２１１に表示される印面のプレビュー画面が見やすくなるという利点がある。
【００７３】
また、区域選択ボタン２２４にはそれぞれ異なる数字が表示されるので、数字が区域選択ボタン２２４を選択する際の目印となって区域選択ボタン２２４を選択する際に操作ミスを起こすことが少なくなる。
【００７４】
次に、図６または図７のような文字入力画面２０８において、区域選択領域２１２に区域選択輪郭線２２３および区域選択ボタン２２４を描画する処理について、図２１を参照して説明する。
【００７５】
まず、上述したステップＳ１〜Ｓ５で説明した手順によってテンプレートおよび文字入力が行われる枠２２１が選択されると（ステップＰ１）、ステップＰ２において、そのテンプレートに設けられるすべての区域のデフォルトの文字配置範囲に関する位置データがロードされてＲＡＭ１５４の文字配置範囲記憶エリア１７２に記憶される。
【００７６】
次に、ステップＰ３において、ＲＡＭ１５４に記憶されたネーム印の輪郭形状に基づいて、区域選択領域２１２内の所定位置に区域選択輪郭線２２３を描画する。そして、ステップＰ４において、ＲＡＭ１５４の所定領域に設けられた枠カウンタを１に初期化する。
【００７７】
次に、ステップＰ５において、選択されたテンプレート内に設けられる枠の総数と枠カウンタのカウント値とを比較して、未処理の枠が存在しているかどうかを判断する。もし未処理枠があれば（Ｐ５：ＹＥＳ）ステップ６に進み、なければ（Ｐ５：ＮＯ）本処理を終了する。
【００７８】
ステップＰ６では、枠カウンタのカウント値に対応したデフォルトの文字配置範囲の位置データを文字配置範囲記憶エリア１７２から取得して、ステップＰ３で描画した区域選択輪郭線２２３に合わせて、ほぼこの輪郭線２２３内に収まるように且つ対応する区域の概略的な大きさおよび位置が表されるように文字配置範囲の矩形の大きさを調節する。
【００７９】
次に、ステップＰ７において、現在のカウント値に対応した区域の区域選択ボタン２２４を描画するために、ステップＰ６での演算結果に基づいて表示画像バッファ１７７の内容を変更する。このとき、区域選択ボタン２２４の表面中央には、その区域の番号としてカウンタ値が表示されるようにする。そして、ステップＰ８において、枠カウンタを１だけインクリメントしてステップＰ５に戻り、同様の処理を繰り返す。このようにして、区域選択領域２１２に、区域選択輪郭線２２３を表示できるとともに、選択されたテンプレートに設けられた区域と同数の区域選択ボタン２２４を区域選択輪郭線２２３と関連づけて表示することができる。
【００８０】
なお、区域選択ボタン２２４の形状は常に矩形にする必要はなく、区域選択輪郭線２２３から大幅にはみ出すことがなく各区域の相対的な位置関係が保たれているという条件で、任意に形状を変更することが可能である。例えば、図２５に示すように、区域選択ボタン２２４を区域選択輪郭線２２３内に収まるような半円形状にしてもよい。
【００８１】
次に、図６または図７のような文字入力画面２０８において、フォント指定領域２１２にフォントリストボックス２２５、半古印体指定ボタン２２６、正楷書体指定ボタン２２７を描画する際の処理について、図２２を参照して説明する。
【００８２】
まず、ステップＱ１において、パソコンにインストールされているフォントから使用可能なもの（例えば和文フォントだけでもよい）をリストアップし、ＲＡＭ１５４内にフォントリストとして登録する。ここで登録されたフォントがフォントリストボックス２２５に表示される。
【００８３】
次に、ステップＱ２において、ステップＱ１でリストアップされたフォント内に半古印体が含まれているかどうかを判断し、含まれていなければ半古印体指定ボタン２２６を無効化する処理を行う。
【００８４】
次に、ステップＱ３において、ステップＱ１でリストアップされたフォント内に正楷書体が含まれているかどうかを判断し、含まれていなければ正楷書体指定ボタン２２７を無効化する処理を行う。
【００８５】
次に、ステップＱ４において、ステップＱ１〜Ｑ３で行われた処理を受けて、フォントリストボックス２２５、半古印体指定ボタン２２６、正楷書体指定ボタン２２７をモニタ１５８に描画するために表示画像バッファ１７７の内容を更新する。この際、半古印体指定ボタン２２６または正楷書体指定ボタン２２７が無効化されていれば、そのボタンをグレー表示してこれが指定できないようにする。
【００８６】
なお、半古印体および正楷書体以外のフォントをボタン化して表示するフォントとして選択することも可能である。そのためには、例えばフォントリストボックス２２５内に表示された１つのフォントをマウスで選択すると共に設定したい指定ボタンをマウスで選択しつつマウスボタンを長時間（例えば５秒間以上）押下した状態にしておいたり、１つのフォントをマウスで選択してキーボードのシフトキーを押しながら設定したい指定ボタンをマウスで選択しつつマウスボタンを押下するなどの作業を行えばよい。
【００８７】
次に、半古印体指定ボタン２２６がマウスでクリックされたときの処理について、図２３を参照して説明する。以下の処理は、ＣＰＵ１５２のフォント変更制御部１６８の制御によって行われる。
【００８８】
まず、ステップＲ１において、選択された区域のフォントとして正楷書体が指定されていたかどうかをフォント指定状態記憶エリア１７５の対応する区域の記憶内容に基づいて判断し、もし正楷書体が指定されていたならば、ＣＰＵ１５２のフォント変更制御部１６８の命令によって正楷書体の指定を解除する。つまり、フォント指定状態記憶エリア１７５の記憶内容を半古印体が指定された状態に変更する。これにより、正楷書体指定ボタン２２７の押下状態が解除されて平常状態（押下されていない状態）に戻る。それにとともに、ステップＲ２において、フォントリストボックス２２５に表示されるフォントが半古印体に変更され、半古印体指定ボタン２２６が押下状態になる。
【００８９】
そして、ステップＲ３において、表示画像バッファ１７７の内容をフォント指定状態記憶エリア１７５の記憶内容に基づいて更新することにより、プレビュー領域２１１に表示される文字のフォントをそれに応じて変更する。正楷書体指定ボタン２２７がマウスで指定された場合の処理も同様である。
【００９０】
次に、フォントリストボックス２２５でフォントが変更された場合の処理について、図２４を参照して説明する。以下の処理は、ＣＰＵ１５２のフォント変更制御部１６８の制御によって行われる。
【００９１】
まず、ステップＶ１において、フォントリストボックス２２５で指定されたフォントが半古印体かどうかが判断される。もし半古印体であれば（Ｖ１：ＹＥＳ）ステップＶ２に進み、対応するフォント指定状態記憶エリア１７５のフォントデータ内容を半古印体に書き換え、半古印体指定ボタン２２６を押下状態にするとともに、もし正楷書体指定ボタン２２７が押下状態であったならばそれを解除した後ステップＶ６に進む。
【００９２】
もし半古印体でなければ（Ｖ１：ＮＯ）ステップＶ３に進み、指定されたフォントが正楷書体かどうかが判断される。もし正楷書体であれば（Ｖ３：ＹＥＳ）ステップＶ４に進み、対応するフォント指定状態記憶エリア１７５のフォントデータ内容を正楷書体に書き換え、正楷書体指定ボタン２２７を押下状態にするとともに、もし半古印体指定ボタン２２６が押下状態であったならばそれを解除した後ステップＶ６に進む。
【００９３】
もし正楷書体でなければ（Ｖ３：ＮＯ）ステップＶ５に進み、対応するフォント指定状態記憶エリア１７５のフォントデータ内容を指定されたフォントに書き換え、もし半古印体指定ボタン２２６または正楷書体指定ボタン２２７が押下状態であったならばそれを解除する。そして、ステップＶ６において、表示画像バッファ１７７の内容をフォント指定状態記憶エリア１７５の記憶内容に基づいて更新することにより、プレビュー領域２１１に表示される文字のフォントをそれに応じて変更する。
【００９４】
以上、本発明の好適な一実施の形態について説明したが、本発明はこれに限られるものではなく特許請求の範囲に記載した限りにおいて様々な設計変更が可能なものである。例えば、スタンプ作成装置としては、上述したものに限らず、印面データに基づいて多孔性樹脂や孔版原紙などの印材に印面を形成することができるものであればどのようなものを用いてもよい。また、ネーム印用フォント指定装置としての機能は、パソコンではなく、スタンプ作成装置などの作成されたデータが使用される機器に組み込まれていてもよい。さらに、上述の実施の形態では、本発明のフォント指定技術をネーム印の印面データ作成に適用したが、本発明はこれに限らず文字データのフォント指定に広く用いることが可能である。
【００９５】
【発明の効果】
以上説明したように、請求項１、３によると、使用頻度の高いフォントをフォント指定ボタンにして表示しておくことで、フォントの指定を高い作業効率で行うことが可能となる。また、フォント指定ボタンで指定することができない特定フォント以外のフォントは、第１のフォント指定手段を介して指定することが可能である。
【００９６】
また、リストを用いて又はフォント指定ボタンで指定されたフォントの名称が当該フォントで第１のフォント指定手段に表示されるので、どのフォントを指定したかの確認が容易である。
【図面の簡単な説明】
【図１】  本発明の一実施の形態に係るネーム印用フォント指定装置であるパソコンと、これに接続されたスタンプ作成装置との概略的なブロック図である。
【図２】  図１に示されたスタンプ作成装置の全体斜視図である。
【図３】  図１に示されたスタンプ作成装置の全体断面図である。
【図４】  本発明の一実施の形態における印面データの作成作業過程を示すフローチャートである。
【図５】  本発明の一実施の形態における印面データの作成作業過程でパソコンのモニタへの表示画面を示す図である。
【図６】  本発明の一実施の形態における印面データの作成作業過程でパソコンのモニタへの表示画面を示す図である。
【図７】  本発明の一実施の形態における印面データの作成作業過程でパソコンのモニタへの表示画面を示す図である。
【図８】  本発明の一実施の形態における印面データの作成作業過程でパソコンのモニタへの表示画面を示す図である。
【図９】  本発明の一実施の形態における印面データの作成作業過程でパソコンのモニタへの表示画面を示す図である。
【図１０】  本発明の一実施の形態における印面データの作成作業過程でパソコンのモニタへの表示画面を示す図である。
【図１１】  本発明の一実施の形態における印面データの作成作業過程でパソコンのモニタへの表示画面を示す図である。
【図１２】  本発明の一実施の形態における印面データの作成作業過程でパソコンのモニタへの表示画面を示す図である。
【図１３】  本発明の一実施の形態における印面データの作成作業過程でパソコンのモニタへの表示画面を示す図である。
【図１４】  本発明の一実施の形態における印面データの作成作業過程でパソコンのモニタへの表示画面を示す図である。
【図１５】  本発明の一実施の形態において、印面形式が縦書き１行である場合のパソコンのモニタに表示されたプレビュー領域を示す図である。
【図１６】  本発明の一実施の形態において、印面形式が縦書き１行である場合のパソコンのモニタに表示されたプレビュー領域を示す図である。
【図１７】  本発明の一実施の形態において、印面形式が縦書き１行である場合のパソコンのモニタに表示されたプレビュー領域を示す図である。
【図１８】  本発明の一実施の形態において、印面形式が縦書き１行である場合のパソコンのモニタに表示されたプレビュー領域を示す図である。
【図１９】  本発明の一実施の形態において、印面形式が縦書き１行である場合の文字配置範囲を文字数ごとに示す図である。
【図２０】  本発明の一実施の形態において、１つの入力枠への文字の配置手順を示すフローチャートである。
【図２１】  本発明の一実施の形態において、区域選択ボタンの生成時の手順を示すフローチャートである。
【図２２】  本発明の一実施の形態において、フォント指定ボタンの生成に関する手順を示すフローチャートである。
【図２３】  本発明の一実施の形態において、フォント指定に関する手順を示すフローチャートである。
【図２４】  本発明の一実施の形態において、フォント指定に関する手順を示すフローチャートである。
【図２５】  区域選択ボタンの形状の別の例を示す図である。
【符号の説明】
１  スタンプ作成装置
１５０  パソコン
１５２  ＣＰＵ
１５４  ＲＡＭ
１５６  ハードディスク
１５８  モニタ
１６７  文字配置演算部
１６８  フォント変更制御部
１６９  区域変更制御部
１７１  入力バッファ
１７２  文字配置範囲記憶エリア
１７３  文字配置データ記憶エリア
１７４  区域選択状態記憶エリア
１７５  フォント指定状態記憶エリア
１７７  表示画像バッファ
【図１】
0004501196.tif 000002
【図２】
0004501196.tif 000003
【図３】
0004501196.tif 000004
【図４】
0004501196.tif 000005
【図５】
0004501196.tif 000006
【図６】
0004501196.tif 000007
【図７】
0004501196.tif 000008
【図８】
0004501196.tif 000009
【図９】
0004501196.tif 000010
【図１０】
0004501196.tif 000011
【図１１】
0004501196.tif 000012
【図１２】
0004501196.tif 000013
【図１３】
0004501196.tif 000014
【図１４】
0004501196.tif 000015
【図１５】
0004501196.tif 000016
【図１６】
0004501196.tif 000017
【図１７】
0004501196.tif 000018
【図１８】
0004501196.tif 000019
【図１９】
0004501196.tif 000020
【図２０】
0004501196.tif 000021
【図２１】
0004501196.tif 000022
【図２２】
0004501196.tif 000023
【図２３】
0004501196.tif 000024
【図２４】
0004501196.tif 000025
【図２５】
0004501196.tif 000026